(57)【要約】      （修正有）【課題】異なったチャンネルで受信される２つの異なったテレビ番組を同時に記録するよう動作可能であり、また、時間を外した現在の放送番組を再生するように動作可能であるハードディスクレコーダ（ＨＤＲ）を提供する。【解決手段】ＨＤＲは、テレビ番組およびテレビ番組スケジュールデータを定義する信号を受信するように配置される。ＨＤＲは、スケジュールに従って予めプログラムされたテレビ番組を記録するようにハードディスクを制御するために使用される。時間のオフセットは、増大されたフレームレートで時間のオフセット内で番組の一部を再生することにより克服可能である。さらに、ＨＤＲは、広告と「実際の」番組との間の遷移などの、番組の部分間の遷移を示す遷移信号を受信するように配置される。ＨＤＲは、これらの遷移信号を用いて、たとえばハードディスクから再生された予め記録された番組における遷移間を飛ばすように動作可能である。【選択図】図２
2009171597.tif 000002
【特許請求の範囲】
【請求項１】
複数のチャンネルで信号を受信するための受信機であって、前記信号は、テレビ番組を表わすテレビ信号と、前記テレビ番組の予め定められた部分を示す情報信号とを含み、前記受信機は、
前記情報信号の受信に応答して制御信号を生成するためのデコーダ回路と、
前記制御信号を受け、受信された前記テレビ信号を表わすデータを記録するためのハードディスクレコーダとを含み、前記レコーダは、前記制御信号に応答して、前記テレビ番組の前記予め定められた部分を表わすテレビ信号の受信中に、前記受信されたテレビ信号を表わすデータの記録を中断する、受信機。
【請求項２】
前記情報信号は、前記テレビ番組の前記予め定められた部分の始めを表わす第１の情報信号と、前記予め定められた部分の終わりを表わす第２の情報信号とを含み、前記デコーダは、前記第１の情報信号の受信に応答して第１の制御信号を、および前記第２の情報信号の受信に応答して第２の制御信号を生成するように構成され、前記レコーダは、前記第１の制御信号の受信に応答して、受信されたテレビ信号を表わすデータの記録を中断し、前記第２の制御信号の受信に応答して、受信されたテレビ信号を表わすデータの記録を再開するように構成される、請求項１に記載の受信機。
【請求項３】
前記情報信号および前記制御信号は、前記テレビ番組の前記予め定められた部分の持続期間を示し、前記レコーダは、制御信号の１つが示す持続期間の間、受信されたテレビ信号を表わすデータの記録を中断することによりその１つの制御信号の受信に応答するように構成される、請求項１に記載の受信機。
【請求項４】
前記情報信号および前記制御信号は、前記テレビ番組の前記予め定められた部分の持続期間を示し、前記レコーダは、受信されたテレビ信号を表わすデータの記録を中断することにより前記制御信号のうち１つの受信に応答し、その１つの制御信号が示す前記持続期間の終わりに記録を再開するように構成される、請求項１に記載の受信機。
【請求項５】
テレビ番組を表わすテレビ信号と前記テレビ番組の予め定められた部分の始めおよび／または終わりを示す情報信号とを受信するための受信機であって、
受信されたテレビ信号を表わす番組データおよび前記予め定められた部分の前記始めおよび／または終わりを示すインジケータデータを記録するための、かつそれによって表わされる前記テレビ番組を画面上に表示するために記録されたデータを再生するためのレコーダと、
前記記録されたデータの再生中に、対応のインジケータデータが示すように、前記レコーダに、前記テレビ番組の前記予め定められた部分の前記始めおよび／または終わりへ飛ぶようにさせるよう動作可能であるユーザ操作可能制御手段とを含む、受信機。
【請求項６】
前記インジケータデータは、前記予め定められた部分の始めおよび／または終わりの時間コードを含む、請求項５に記載の受信機。
【請求項７】
前記時間コードは前記情報信号に含まれる、請求項６に記載の受信機。
【請求項８】
前記情報信号は前記テレビ信号とともに受信される、請求項５から７のいずれかに記載の受信機。
【請求項９】
前記インジケータデータは、前記番組データとは別個のメタデータとして記憶される、請求項５から８のいずれかに記載の受信機。
【請求項１０】
前記テレビ番組は、１つ以上の広告による中断によって分断される複数の前記予め定められた部分を含み、前記ユーザ操作可能制御手段は、前記記録されたデータの再生中に、前記インジケータデータが示すように、前記レコーダに前記１つ以上の広告による中断を飛ばさせるよう動作可能である、請求項５から９のいずれかに記載の受信機。
【請求項１１】
前記レコーダはハードディスクを含む、請求項５から１０のいずれかに記載の受信機。
【請求項１２】
前記レコーダは光学記憶媒体を含む、請求項５から１０のいずれかに記載の受信機。
【発明の詳細な説明】
【技術分野】
【０００１】
この発明は、テレビ信号の受信機における改良に関する。
【背景技術】
【０００２】
テレビ受信機および受信したテレビ番組を録画するためのハードディスクを含むハードディスクレコーダ（ＨＤＲ）は公知である。ＨＤＲは、電話網に接続されて電話網を介してテレビ番組スケジュール情報を受信し、テレビ画面上に表示するように構成される。番組スケジュールデータが更新されるたびに、番組スケジュールデータのプロバイダとの電話リンクを確立しなければならない。そのような更新は、たとえば１日に１回、定期的な間隔で行なわれ得る。所望のテレビ番組を録画するため、ユーザは番組スケジュールデータを用いてＨＤＲをプログラムし得る。
【先行技術文献】
【特許文献】
【０００３】
【特許文献１】特開２００３−５０６９７０号公報
【発明の概要】
【発明が解決しようとする課題】
【０００４】
電話網を介してＨＤＲとのリンクを確立するという要件は望ましくない。この理由は、コストなどの理由のためにＨＤＲが常に「オンライン」であるわけではなく、または、電話接続が他で用いられなければならないからである。したがって、利用可能な番組スケジュールデータが古くなっていることがある。ユーザが、所望の番組を録画するために自分のＨＤＲをプログラムするときに番組スケジュール情報に頼れば、古くなった番組スケジュールデータに知らないうちに頼ってしまい、結局所望の番組が録画されないという結果を生じ得る。
【０００５】
また、種類が増加し続けているテレビチャンネルおよび番組のために、ユーザが録画したいと思うテレビ番組の番組スケジュールがかち合うことがより多くなっている。現在公知のビデオカセットレコーダ（ＶＣＲ）およびＨＤＲはこの問題を扱えていない。
【０００６】
放送されるテレビ番組の録画を可能にしながら、同じテレビ番組を時間をオフセットして同時に再生するＨＤＲも公知である。たとえば、視聴者が数分だけ自分の好きな番組の開始を逃したが、それにもかかわらず、番組が完全に録画されて、録画済の番組の再生を始められるまで待ちたくないときには、これは有用である。しかしながら、ライブのスポーツイベントなどのライブ番組の場合、「実際」のライブイベントが進行中であると知っていることが強く感情に訴える魅力を与える。現在では、ユーザは、単にライブ放送にスイッチを合せ、それにより見逃した期間を無視するか、または、時間をオフセットして番組を見ることにより、ライブ放送に追いつくという選択肢を有する。
【０００７】
さらに、録画済テレビ番組のある部分が視聴者にとって関心がないことがある。たとえば、視聴者は広告に興味がないことがある。たとえば、映画の間の広告による中断に興味のないＶＣＲユーザは、広告の間を単に早送りすることによってこれに応答する。また、一連の録画済ビデオクリップを見るとき、ユーザはクリップのいくつかに興味がないことがあり、ビデオテープを早送りすることにより、関心のある次のクリップに単にジャンプして進むことが可能である。これは明らかに不都合である。視聴者が関心のない番組の部分を録画することは、いかなる場合においても、ハードディスク記憶容量の無駄遣いである。
【０００８】
テレビ番組の中断の間に放送される広告は一般的に、テレビ番組の潜在的視聴者にアピールするように向けられている。これは非常に正確な科学的技術ではないため、ある環境では、放送された広告が視聴者に全くアピールしないかまたは広告による中断の十分な潜在性を少なくとも利用していないことがある。先行技術はこの問題を扱っていない。
【０００９】
したがって、先行技術のこうしたおよびその他の問題を少なくとも扱うことが望ましい。
【課題を解決するための手段】
【００１０】
この発明の１つの局面に従うと、複数のチャンネル中のテレビ番組を表わす信号を受信するための受信機が提供され、受信機は、第１のチャンネル中の信号を受信するための第１のチューナーと、第２のチャンネル中の信号を同時に受信するための第２のチューナーと、第１のチューナーおよび第２のチューナーが同時に受信した、第１および第２のチャンネル中の信号を表わすデータを記録するためのレコーダとを含む。
【００１１】
この発明の別の局面に従うと、複数のチャンネル中の信号を受信するための受信機が提供され、信号は、チャンネル、番組および放送時間の観点でイベントを定義する番組スケジュールデータおよびテレビ番組を表わし、受信機は、番組スケジュールデータを表わす信号からテレビ番組を表わす信号を分離するためのデコーダと、テレビ番組を表わすデータを記録するためのレコーダと、テレビ画面上に表示するための番組スケジュール中のイベントの画像を定義する出力信号を発生するための手段とを含み、スケジュールは番組スケジューリングデータを表わす受信信号に従い、さらに受信機は、イベントの画像の中で識別されたイベントを選択するように動作可能でありかつ、そのようなユーザの選択に応答して、レコーダに、選択されたイベントに対応するテレビ番組を表わすデータを記録させる、ユーザ操作可能セレクタを含む。
【００１２】
この発明の別の局面に従うと、テレビ番組を表わす信号を受信しかつ時間がずれたテレビ番組を表わす信号を同時に出力するための受信機が提供され、受信機は、テレビ番組を表わすデータを記録しかつ時間がずれたテレビ番組を表わすデータを再生するためのレコーダを含み、受信機は、増加したフレームレートでテレビ番組を表わす信号を出力して時間のずれを減じるように動作可能である。
【００１３】
好ましくは、受信機は、レコーダが録画すべきテレビ番組を表わすデータをバッファするための第１のデータバッファと、レコーダから再生されているデータをバッファするための第２のデータバッファと、データを第１のデータレートで第１のデータバッファからレコーダにまたは第２のデータレートでレコーダから第２のデータバッファに選択的に転送させるためのプロセッサとを含んでもよく、受信機に、テレビ番組を表わす信号を増加したフレームレートで出力させて時間のずれを減じるため、第２のデータレートは第１のデータレートよりも高い。第１のデータレートは受信した信号の帯域幅に従い、第２のデータレートはユーザが選択したフレームレートに従う。
【００１４】
この発明の別の局面に従うと、複数のチャンネル中の信号を受信するための受信機が提供され、信号は、テレビ番組を表わすテレビ信号と、テレビ番組の予め定められた部分を示す情報信号とを含み、受信機は、情報信号の受信に応答して制御信号を生成するためのデコーダ回路と、制御信号を受信しかつ受信したテレビ信号を表わすデータを記録するためのレコーダとを含み、レコーダは、制御信号に応答して、テレビ番組の予め定められた部分を表わすテレビ信号の受信の間、受信したテレビ信号を表わすデータの記録を中断する。
【００１５】
情報信号は、テレビ番組の予め定められた部分の開始を表わす第１の情報信号と、予め定められた部分の終了を表わす第２の情報信号とを含んでもよく、デコーダは、第１の情報信号に応答して第１の制御信号をおよび第２の情報信号に応答して第２の制御信号を生成するように構成され、レコーダは、第１の制御信号に応答して、受信したテレビ信号を表わすデータの記録を中断しかつ、第２の制御信号に応答して、受信したテレビ信号を表わすデータの記録を再開するように構成される。
【００１６】
これに代えて、情報信号および制御信号は、テレビ番組の予め定められた部分の持続時間を示してもよく、レコーダは、１つの制御信号が示す持続時間の間、受信したテレビ信号を表わすデータの記録を中断することによって、制御信号の１つに応答するように構成される。
【００１７】
この発明の別の局面に従うと、複数のチャンネル中の信号を受信するための受信機が提供され、信号は、テレビ番組を表わすテレビ信号と、テレビ番組の予め定められた部分を示す情報信号とを含み、受信機は、情報信号の受信に応答して制御信号を生成するためのデコーダ回路と、テレビ画面上の表示のためのビデオデータを記憶するための記憶媒体と、制御信号を受信しかつ、テレビ画面上の表示のために、受信したテレビ信号または記憶媒体からのビデオデータを表わすビデオ信号を選択的に出力するための出力手段とを含み、出力手段は、制御信号に応答して、テレビ番組の予め定められた部分を表わすテレビ信号の受信の間、ビデオ信号を出力する。
【００１８】
情報信号は、テレビ番組の予め定められた部分の開始を表わす第１の情報信号と、予め定められた部分の終了を表わす第２の情報信号とを含んでもよく、デコーダは、第１の情報信号に応答して第１の制御信号をおよび第２の情報信号に応答して第２の制御信号を生成するように構成され、出力手段は、第１の制御信号に応答してビデオ信号を出力しかつ、第２の制御信号に応答してテレビ信号を出力するように構成される。
【００１９】
これに代えて、情報信号および制御信号は、テレビ番組の予め定められた部分の持続時間を示してもよく、出力手段は、１つの制御信号が示す持続時間の間ビデオ信号を出力することによって制御信号の１つに応答するように構成される。
【００２０】
この発明の別の局面に従うと、複数のチャンネル中の信号を受信するための受信機が提供され、信号は、テレビ番組を表わすテレビ信号と、テレビ番組の予め定められた部分の開始および／または終了を示す情報信号とを含み、受信機は、受信信号を表わすデータを記録しかつ、それが表わすテレビ番組の画面上の表示のために記録済データを再生するためのレコーダと、レコーダに、情報信号を表わす記録済データを検出させて、記録済データの再生の間にテレビ番組の予め定められた部分の開始および／または終了に飛ばすように動作可能なユーザ操作可能制御手段とをさらに含む。
【００２１】
以上、レコーダはハードディスクまたは光学記憶媒体を含んでもよく、記憶媒体はハードディスクまたはＣＤを含んでもよい。
【図面の簡単な説明】
【００２２】
【図１】テレビ受信機システムの概略図である。
【図２】ハードディスクレコーダ（ＨＤＲ）の機能的ブロック図である。
【図３】図２のＨＤＲのハードウェアとソフトウェアの間の対話を示す機能図である。
【図４】ＨＤＲを制御するのに用い得るリモートコントロールの概略図である。
【図５】ハードディスク構成の機能的ブロック図である。
【図６】「サービス」画面の概略的表示の図である。
【図７】「ＴＶガイド」画面の概略的表示の図である。
【図８】「プランナー」画面の概略的表示の図である。
【図９】「システム設定」画面の概略的表示の図である。
【図１０】「広告」画面の概略的表示の図である。
【発明を実施するための形態】
【００２３】
添付の図面を参照して、この発明の実施例が例示の目的のためにのみ説明される。
１．システム概要
添付の図面の図１をここで参照して、テレビシステム１は、テレビ２（ＴＶ）、ハードディスクレコーダ３（ＨＤＲ）およびパラボラアンテナ４を含む。ＨＤＲ３は、衛星（図示せず）からの信号の受信のためのパラボラアンテナ４に接続される衛星受信機を含む。ＨＤＲは、パラボラアンテナ４から、複数のチャンネル中のテレビ信号を含む信号を受信する。
【００２４】
２．ハードディスクレコーダ（ＨＤＲ）概要
添付の図面の図２はＨＤＲ３をより詳細に示す。パラボラアンテナ４（図１に図示）からの信号は、第１および第２のチューナ１０ａおよび１０ｂに入力され、そこから四相位相偏移変調（ＱＰＳＫ）復調器１１に入力される。第１および第２のチューナ１０ａおよび１０ｂは、同じまたは異なるテレビ番組の同時受信のため、同じまたは異なるチャンネルに同調可能である。復調された信号は、順方向誤り訂正器回路１２を介してエラー訂正される。ＨＤＲ３はハードディスク１３を含み、これは、以下により詳細に説明されるように、テレビ番組の録画およびその後の再生のために、テレビ番組を形成する圧縮ビデオおよびオーディオデータを順方向誤り訂正器回路１２から受ける。受信された信号はデジタルエンコードされたデータを含む。たとえば、番組データと追加データ（たとえばインタラクティブサービスデータ）との両者を単一のチャンネルに伝送するのを許すＤＶＢ／ＭＰＥＧ２標準を用いてデータを圧縮することが企図される。ＤＶＢ／ＭＰＥＧ２は高い圧縮比率を達成するのを可能にする。ハードディスク１３は圧縮データを受けかつ記憶する。データは、ハードディスク１３からの検索後にのみ復元される。
衛星（および実際にはケーブル）番組は通常、未許諾加入者による許諾されていないアクセスを防止するためにスクランブルをかけられる。したがって、ＨＤＲ３は、スマートカード１４ａと協働して、視聴者が特定のチャンネルに加入し、したがってチャンネルにアクセスするのを許諾されているか否かを判断する、条件付アクセス制御回路１４を含む。チャンネルアクセスに対するペアレンタルコントロールも、アクセス制御回路１４が少なくとも部分的に提供する。ＨＤＲ３は、アクセス制御回路１４によって制御されて、許諾された加入者による信号のスクランブル解除を可能にするスクランブル解除回路１５をさらに含む。
【００２５】
スクランブル解除されたデータは、ＨＤＲ３内のさまざまな場所への分散のために、データをビデオデータ、オーディオデータ、ユーザサービスデータ、番組スケジューリングデータなどに分離するトランスポート／デマルチプレクサ１６に供給される。ＨＤＲ３は、たとえばＭＰＥＧ標準に従って動作する、専用ビデオＲＡＭ１７を利用するビデオ復元および処理回路１８とオーディオ復元および処理回路１９とも含む。ビデオおよびオーディオ復元および処理回路１８および１９は、トランスポート／デマルチプレクサ１６から直接にまたはハードディスク１３から、デマルチプレクスされた信号を受信する。復元されたビデオ信号はＳＣＡＲＴインターフェイス２０に入力され、ＴＶ２とＰＡＬエンコーダ２１とに直接入力される。ＰＡＬエンコーダでは、所望により、ＴＶのＵＨＦ入力への出力のために、ＵＨＦ変調器２２による変調のためにＰＡＬフォーマットに信号をエンコードする。
【００２６】
ＨＤＲ３は、バス２４を介してシステムのさまざまなユニットと通信するプロセッサ２３によって制御される。プロセッサ２３は、ＲＯＭ２５（必要に応じてＣＤ−ＲＯＭドライブ２５ａを含む）、ＲＡＭ２６（ダイナミックＲＡＭおよびスタティックＲＡＭの両者を含む）およびフラッシュ（不揮発性および書込可能）メモリ２７をそれと関連づけている。
【００２７】
プロセッサ２３は、チューナ１０ａおよび１０ｂを同調してパラボラアンテナ４から所望のチャンネルの信号を受信すること、デマルチプレクス、スクランブル解除および復元を制御して所望の番組および／またはインタラクティブサービスデータをＴＶ２の画面上に表示することならびに、ハードディスク１３を制御して所望のテレビ番組を録画しまたは以前に録画したテレビ番組を再生することによって、ＨＤＲ３の動作を制御する。所望の番組および顧客サービスの視聴者の選択はリモートコントロールユニット２８を介して制御され、これは、視聴者の操作に応答して、プロセッサへの入力のために制御信号を受信機２９に伝送する。リモートコントロールユニット２８はハードディスク１３の動作の制御も可能にして、テレビ番組を録画したり、録画されたテレビ番組を再生したり、テレビ番組の録画をプログラムしたりなどする。リモートコントロールユニット２８は以下により詳細に説明される。
【００２８】
ＨＤＲ３は、高速データインターフェイス３０とシリアルリンクを提供するＲＳ２３２インターフェイス３１とをさらに含む。高速データインターフェイス３０およびＲＳ２３２インターフェイスは、ＰＣおよび／またはゲーム機８および／または他のデジタル機器（図示せず）に接続され得る。高速データインターフェイス３０は、ＨＤＲ３を他の装置（図示せず）に接続するのを可能にする。たとえば、広帯域ケーブルおよびデジタル地上波放送などの他の媒体を介して伝送されるサービスの受信を可能にする。ＨＤＲ３は、電話網に接続するためのモデムインターフェイス３２をさらに含む。
【００２９】
３．ＨＤＲのハードウェアとソフトウェアとの間の対話
ＨＤＲ３の動作は、プロセッサ２３に、リモートコントロール２８からの制御信号と、パラボラアンテナ４によって受信されおよび／またはメモリユニット２５から２７に記憶される信号に含まれるデータとに応答させるソフトウェアによって制御される。ＨＤＲ３中のハードウェアとソフトウェアとの間の対話の概略的表示が添付の図面の図３に示される。入来する信号中のデータは、トランスポート／デマルチプレクサ１６によりビデオデータおよび情報データに分離される。情報データは、以下により詳細に説明されるように、ハードウェアとソフトウェアとの付近に分散される。ビデオデータおよびオーディオデータはデマルチプレクスされ、ＭＰＥＧビデオおよびオーディオ回路１８および１９により、ＴＶ２またはハードディスク１３への供給に好適な形態で出力される。ビデオデータとともにまたはその代わりに情報を表示すべきときは、情報を表わすデータは、オンスクリーンディスプレイ（ＯＳＤ）ドライバ３３およびビデオ回路１８を介して、ＴＶへの供給に好適な形態で出力される。ＯＳＤドライバ３３およびビデオ回路１８からの信号は、ＴＶ２に供給される前に適切に組合される。
【００３０】
ＨＤＲ３のソフトウェアおよびハードウェアの動作はオペレーティングシステム３５に基づく。条件付アクセスコントローラ１４は、オペレーティングシステムとインターフェイスする関連のソフトウェア３６を有する。プロセッサ２３は、ＨＤＲオペレーティングシステム３５にインターフェイスする、それ自身のベースオペレーティングシステム３７を有する。電子番組表（ＩＥＰＧ）３９などのアプリケーションおよびインタラクティブサービスを含む他のアプリケーション４０は、アプリケーションインターフェイス４１および関連のアプリケーションインタープリタ４２を介してオペレーティングシステム３５にインターフェイスする。
【００３１】
ＩＥＰＧ３９などの条件付アクセスアプリケーションのためのソフトウェアは、ＨＤＲ３の不揮発性メモリ、たとえばＲＯＭ２５内に永久的にインストールされるが、新たなアクセスコードおよびテレビ番組スケジューリング詳細などの可変の情報はＲＡＭ２６に記憶され、パラボラアンテナ４から受信する信号を介して定期的に更新される。復調器１１からの復調信号はトランスポート／デマルチプレクサ１６に入力されるが、これは、データを検査してそれをどこに送るべきかを決定する。時折、条件付アクセスコードまたはＩＥＰＧ３９が番組情報を表示する態様に対する大きな変更がなされることがある。また、たとえばインタラクティブショッピングまたはたとえば銀行サービスなどの追加アプリケーションのための番組も、衛星を介してＨＤＲ３に供給される。そのようなアプリケーションデータは、トランスポータ／デマルチプレクサ１６により、メモリ２６、２７の適切な区域４０に直接にルーティングされる。
【００３２】
オペレーティングデータ４３は、実質的に連続してすべてのチャンネルに供給される。オペレーティングデータ４３は、チャンネルおよび／またはその中の番組に関連する条件付アクセスデータ４４を含むが、これは、条件付アクセスコントローラ１４が、そのためのデータをスクランブル解除することによって特定の番組へのアクセスを許すべきか否かを判断するのを可能にする。さらに、インタラクティブサービスに関するオペレーティングデータは、プロセッサ２３のハードウェアおよびソフトウェアならびに関連のメモリデバイス２５から２７による使用のために制御および情報データを搬送する専用インタラクティブサービスチャンネルに伝送される。したがって、図３に示されたオペレーティングデータ４３は、（たとえば個人向け銀行サービスに関する）インタラクティブサービス番組および情報４６ならびに、実質的に連続してまたは規則的に、前述のインタラクティブサービスに必要な他のいかなるデータ４７も含む。
【００３３】
トランスポート／デマルチプレクサ１６はオペレーティングデータ４３をプロセッサ２３に供給するように構成される。データは、オペレーティングシステム３５、条件付アクセスおよび／または他のオペレーティングソフトウェアの作用を受ける。プロセッサ２３は、システム内の他のユニットに適切なコマンドまたは信号を送ることにより、データに応答する。制御データはまた、プロセッサ２３と、トランスポータ／デマルチプレクサ１６、ハードディスク１３、ビデオおよびオーディオ復元器１８、１９、リモートコントロール受信機２９および高速データインターフェイス３０などのユニットとの間で、それぞれのドライバ４８から５３を介して転送される。
【００３４】
ＨＤＲ３のハードウェアおよびソフトウェアの組合せは、受信したチャンネル中のデータを、視聴者が選択した番組の表示または録画のためにデコードするのを可能にする。スクランブルは連続的に制御され、必要に応じておよび必要なときに、新たなスクランブル解除コードでＨＤＲを更新することができる。インタラクティブサービスのためのデータは実質的に連続して供給されかつ更新され、新たに選択されたインタラクティブサービスに関する番組がＨＤＲ３にダウンロードされる。
【００３５】
前述の、ＷＯ９６／３７９９６として発行された我々の国際（ＰＣＴ）特許出願中に、テレビ番組を表わすデータならびにスケジューリングおよび番組に関する他の情報を定義するデータを受信しかつデコードする際のＨＤＲ３の動作が詳細に説明される。インタラクティブサービスを提供する際のＨＤＲ３の動作は、前述の、ＷＯ９７／２３９９７として発行された我々の国際（ＰＣＴ）出願中に説明される。
【００３６】
デジタルＴＶ伝送のためのデジタルビデオ放送（ＤＶＢ）規格には、スケジュール情報の伝送の規格が存在するため、それをデコードし、電子番組ガイド（ＥＰＧ）の形で加入者に正しく提示することができる。
【００３７】
このＤＶＢ規格はＳＩ規格として一般的に公知であり、以下の仕様の中に見出すことができる。すなわち、ＥＴＳ  ３００  ４６８、テレビ向けＥＴＳＩデジタル放送システム、音声およびデータサービス、デジタルビデオ放送（ＤＶＢ）システムにおけるサービス情報（ＳＩ）の仕様第２版（ETS 300 468, ETSI Digital Broadcasting Systems for Television, Sound and Data Services, Specification for Service Information (SI) in Digital Video Broadcasting (DVB) Systems 2nd edition）。この仕様を用いるためのガイドラインがＥＴＳＩ  ＥＴＲ２１１−ＤＶＢ  ＳＩガイドラインに与えられている。
【００３８】
放送事業者がそれらのＥＰＧのいかなる独自の特徴も利用できるようにするため、ＳＩ規格は、プライベートデータテーブルおよび記述子を含むことによりサービス情報（ＳＩ）ストリームのフォーマットを拡張するための方法を含む。ＨＤＲ３がＳＩ仕様の必須部分をサポートするように設計されるのは当然である。
【００３９】
４．リモートコントロール
図４は、ＨＤＲ３の制御のためのリモートコントロール２８を図示する。リモートコントロール２８上のキーの操作により、リモートコントロール２８は対応するコマンド信号をＨＤＲ３に伝送する。
【００４０】
リモートコントロールはオン／オフキー９８を含み、その操作により、ＨＤＲ３をスイッチオンまたはオフする。リモートコントロール２８は、再生キー９９、録画キー１００、一時停止キー１０１、停止キー１０２、早送りキー１０３および巻戻しキー１０４も含む。再生キー９９の操作により、ＨＤＲ３は、録画済テレビ番組をハードディスク１３から再生する。録画キー１００の操作により、テレビ番組をハードディスク１３上に録画する。一時停止キー１０１の操作により、ＨＤＲ３は、上記のように、現在再生中のテレビ番組を一時停止し、停止キー１０２の操作により再生を停止する。早送りキー１０３および巻戻しキー１０４は、以下に詳細に説明されるように、ユーザが早送りまたは巻戻しモードでＨＤＲ３を動作するのを可能にする。
【００４１】
さらに、リモートコントロール２８は、メニューキー１０５、ＴＶガイドキー１０６、サービスキー１０７およびインタラクティブサービスキー１０８を含む。これらのキー１０５から１０８のうち１つの操作により、ＨＤＲ３は、上述のように、対応するメニュー画面を表示する。さらに、リモートコントロール２８は、「上」キー１０９、「下」キー１１０、「右」キー１１１および「左」キー１１２を含む。これらのキーの操作により、ユーザは表示されたメニュー項目を選択することができる。選択されたメニュー項目と関連する動作は、実行キー１１３の操作によって実行される。これに代えて、選択されたメニュー項目は、選択キー１１４の操作により、選択済としてマーキングされる。同様に、リモートコントロール２８は異なる色のカラーキー１１５を含む。カラーキー１１５のうち１つの操作により、ユーザは、以下に詳細に説明されるように、操作されたカラーキーの色と関連する、表示メニュー画面上に示されるメニュー項目を選択することができる。
【００４２】
また、リモートコントロール２８は数字キー１１６を含み、その操作により、ＨＤＲ３は、数字キー１１６を介して入力された数字に対応するチャンネルに同調する。
【００４３】
５．ハードディスク
第１および第２のチューナー１０ａおよび１０ｂは異なるチャンネルを受信するように同調可能であるため、１つのチャンネルの第１のテレビ番組をＴＶ２上に表示しながら、同時に、別のチャンネルの第２のテレビ番組をハードディスク１３に録画することが可能である。さらに、以下に説明されるように、２つの異なるテレビ番組をハードディスク１３に同時に録画し得る。
【００４４】
ＨＤＲ３のハードディスク１３は、大量のデータを記憶するためにコンピュータシステムで用いられるハードディスクと同様である。ハードディスク１３は、数ギガバイト（たとえば１０−２０ギガバイト）の容量を有し、たとえば、上述のようにＤＶＢ／ＭＰＥＧ２標準に従う、データを受ける圧縮された形での記憶のためにビデオおよびオーディオデータを受ける。これにより、ハードディスク１３上への数時間のテレビ番組（たとえば１０−１５時間）の記憶が可能になる。ハードディスク１３は２つの記憶区域を含む。一方はテレビ番組データの記憶のためのもの、他方は、以下により詳細に説明されるように、ハードディスク１３を制御するのに用いられる「メタデータ」を記憶するためのものである。ハードディスク１３の動作はプロセッサ２３によって制御される。プロセッサ２３は制御コマンドをハードディスク１３に送り、テレビ番組の録画を開始／停止したり、録画されたテレビ番組を再生したりなどする。
【００４５】
ここで添付の図面の図５を参照して、ハードディスク１３の構成の概略的ブロック図が示される。ハードディスク１３は３つのデータチャンネルを有し、そのうち２つを通してハードディスク１３への記憶のためにデータを受け、そのうち１つを通してテレビ映像のその後の表示のためにデータを出力する。３つのデータチャンネルは、２つのデータ入力チャンネル５４および５５と、１つのデータ出力チャンネル５６とからなる。データチャンネルの各々は、それぞれデータバッファ５７、５８および５９をそれと関連づける。データバッファ５７、５８および５９の各々は、数秒のデータを記憶するのに十分なサイズ（たとえば８メガバイト）のＲＡＭを含む。データバッファ５７、５８および５９の動作ならびにハードディスク１３の動作は、プロセッサ２３によって制御される。
【００４６】
ハードディスク１３は、データチャンネル５４および５５を介したデータの同時の受信およびデータチャンネル５６を介したデータの出力を管理するように動作可能である。データチャンネル５４および５５を通して受けたデータは、それを受信しながら直接にハードディスク１３に記憶するのではなく、それぞれバッファ５７および５８によってバッファされる。同様に、データチャンネル５６を通して出力されるべきデータは、ハードディスク１３からそれを読出しながら直接に出力されるのではなく、バッファ５９にバッファされる。
【００４７】
ハードディスク１３は、３つのチャンネル５４、５５および５６のうち少なくとも２つを通してデータを転送可能なレートよりも高いデータレートを管理することができる。すなわち、ハードディスク１３は、３つすべてのチャンネル５４、５５および５６をあわせて伝送されたデータのレートと少なくとも同じくらい高いデータレートを管理することができる。これにより、ハードディスク１３は、入力チャンネル５４および５５の両者を通して受信したデータを同時に記憶しかつ出力チャンネル５６を通してデータを出力することができる。
【００４８】
これは、受信したデータおよび出力されるべきデータをバッファ５７、５８および５９でバッファすることならびに、それらを切換えて入力バッファ５７および５８からハードディスク１３へデータを転送するかまたはハードディスク１３からバッファ５９へデータを転送することによって達成される。書込および読出用に別個のヘッドを含むハードディスクが利用可能であるが、コストのために、ハードディスク１３は、ハードディスク１３への書込およびそれからの読出の両者用に１つの単一ヘッドを含む。したがって、ハードディスク１３はどの時点でも３つのデータチャンネル５４、５５および５６のうち１つのみと関連するデータを記憶する／読出す一方で、３つのチャンネル５４、５５および５６と関連のデータを順次記憶し／読出して、それにより３つのデータチャンネルを同時に「事実上」扱う。
【００４９】
切換は、バッファ５７、５８および５９の任意の３つの間でそれらのバッファサイズに
従う周波数でアービトレーションを行なうことにより、プロセッサ２３が制御して、データオーバフローおよびそれによるデータ損失を防止する。たとえば、バッファ５７、５８および５９が各々、３０秒の受信データを記憶することができかつ、ＨＤＲ３を、チャンネル５４および５５を通して受信した２つの同時のテレビ番組を録画するように動作すれば、ハードディスク１３は、３０秒以下の交互サイクルでバッファ５７および５８から交互にデータを受けるように動作され、プロセッサがバッファ５７、５８の一方から他方に切換わるたびに、バッファの中身をハードディスク１３に転送する。したがって、異なるチャンネル中の、第１および第２のチューナー１０ａ，１０ｂが受信した同時の／重なるテレビ番組を録画することが可能である。
【００５０】
データバッファ５７、５８および５９による、入来するおよび外に出ていくデータのバッファは、ハードディスク１３を特定の入力または出力データレートに同期させる必要がないことを意味する。代わりに、ハードディスク１３は常に同じ一定のデータレートでデータを読出しかつ記憶する。ハードディスク１３に記憶されるまたはそこから読出されるデータの量は、データ転送のために、ハードディスク１３がデータバッファ５７、５８または５９のうちそれぞれ１つに切換えられる持続時間によって決定される。こうした時間の間に、一定のデータレートでそれぞれのデータバッファからまたはデータバッファへデータを転送する。チャンネル５４および５５を通る受信データレートまたはチャンネル５６を通る出力データレートは（たとえば、受信したテレビ信号の帯域幅に依存してまたは再生モードに依存して）異なり得るが、バッファ５７、５８および５９のいずれかとハードディスク１３との間で転送されるデータレートは一定であり、ハードディスク１３が管理することができるデータレートによって決定される。
【００５１】
ハードディスク１３はプロセッサ２３によって制御されて、順方向および逆方向モードを含む異なる再生モードで動作する。ここでは、録画された番組は、ノーマルフレームレートまたは低減フレームレート（すなわちスローモーション）で再生可能である。ハードディスク１３は早送りおよび巻戻しモードでも動作可能であり、ここでは、録画済テレビ番組は増加したフレームレートで再生可能である。視聴者は、リモートコントロール２８を介して適切なコマンドを与えることにより、これらのモードのいずれかを選択し得る。
【００５２】
５．１  不所望の番組部分のスキップ
スキップモードでは、プロセッサは、ハードディスク１３を制御して、録画済の番組を通して前後に飛ばしたり、録画済の番組の始めに飛ばして戻ったりまたは次の録画済の番組へ飛ばして進んだりすることにより、リモートコントロール２８からの信号に応答する。この目的のために、ハードディスク１３上の録画済テレビ番組の始まりは、番組の始まりを指し示すおよびそれによりマーキングするインジケータの形でメタデータを記憶することによってマーキングされる。
【００５３】
ハードディスク１３を制御するために用いられる他のメタデータデータとともに、インジケータデータをハードディスク１３のメタデータ区域に記憶する。インジケータデータは、テレビ番組信号とともに伝送される標準時間コードに基づく。
【００５４】
再生の間に、視聴者は、出ていって何か別のことをする間、番組を途中で一時停止したいと思うことがある。視聴者がリモートコントロール２８を動作して再生を一時停止するコマンドを与えると、プロセッサ２３はインジケータ信号を生成し、ハードディスク１３に、ハードディスク１３上のメタデータ区域中の時間コードの形で、対応するインジケータデータを記憶させる。視聴者が番組の視聴を再開したいときは、リモートコントロール２８を介した適切なコマンドにより、プロセッサ２３がハードディスク１３を制御して、記憶された時間コードを読出し、対応するハードディスク位置に飛んで、その位置から番組の再生を再開する。言換えると、ＨＤＲ３は、録画済のテレビ番組の視聴がいつ中断さ
れたかを「覚えて」おり、したがって残余のテレビ番組の再生を再開する。
【００５５】
番組の部分の開始および／または終了（たとえば広告による中断によって分離された番組の部分）を示す「スキップ」信号を含む番組を放送してもよい。これらのスキップ信号は時間コードに基づいており、テレビ信号とともに各チャンネルに伝送される。テレビ信号中にスキップ信号を含むテレビ番組をＨＤＲが録画するとき、ＨＤＲ３は、ハードディスク１３に、連続したスキップコードのリストとして、ハードディスク１３上のメタデータ区域にスキップ信号を表わすスキップコードを記憶させる。そのようなテレビ番組の再生の間に、「スキップ」モードを（リモートコントロールのユーザ操作により）選択してもよい。ここで、プロセッサ２３は、記憶されたスキップコードに応答して、番組信号がハードディスク１３からどのように読出されるかを制御する。したがって、たとえば、スキップコードは、番組中の広告による中断の開始および終了の時間コードを識別し得、プロセッサ２３は、ハードディスク１３を制御して、開始時間コードに対応するフレームに到達するまで番組のテレビ信号を出力し、終了時間コードに対応するフレームから信号を出力し続けることにより、スキップコードに応答するように構成され得る。このように、広告による中断を、録画済番組の再生の間に飛ばし得る。
【００５６】
５．２  テレビ番組を止めて、再び追いつくこと
ＨＤＲ３は、チューナー１０ａ、１０ｂのうち１つを通して現在受信中のテレビ番組を、２つの異なる再生モードで表示するように動作可能である。第１の表示モードでは、テレビ番組は、ハードディスク１３に録画されずに「直接に」表示される。第２の再生モードでは、現在受信中のテレビ番組はハードディスク１３に録画され、録画されたテレビ番組はハードディスク１３から再生される。再生されるテレビ番組と録画されながらのテレビ番組との間の、結果的に生じる時間のずれはほんのわずかであり、視聴者には知覚されない。
【００５７】
これらの再生モードのいずれかから開始すると、ハードディスク１３は、現在表示中のテレビ番組の停止をシミュレーションしかつ、それが停止された瞬間のいかなる時間後にも番組の再生を再開するように動作可能である。ＨＤＲ３が第１の再生モードにある間にユーザが現時のテレビ番組を止めることを望めば、ユーザは、たとえば、リモートコントロール２８上の一時停止ボタンを操作することにより、そうしてもよい。プロセッサ２３は、ハードディスク１３を制御して現時のテレビ番組の録画を開始することにより、リモートコントロール２８からの「一時停止」信号に応答するように構成される。第２の再生モードでは、ハードディスク１３は単に記録を続けるだけである。
【００５８】
「一時停止」が選択されると、プロセッサ２３は、現時のテレビ映像フレームを、同じフレームを繰返しＴＶ２に出力させることによって「凍結」する。ユーザがテレビ番組の視聴を再開したいときは、リモートコントロール２８上の一時停止ボタンを再操作することによってそのようにしてもよい。プロセッサ２３は、ハードディスク１３に、ユーザが最初に一時停止ボタンを操作した瞬間から、停止されたテレビ番組の記録済データを出力させることにより、この第２の一時停止信号に応答する。
【００５９】
ハードディスク１３は、チューナー１０ａまたは１０ｂの１つがテレビ番組を受信するに従ってテレビ番組の録画を継続する。言換えると、ハードディスク１３は同時に、現在受信中のテレビ番組を録画しかつ、テレビ番組が停止された期間だけ時間がオフセットされたテレビ番組を再生することができる。（ハードディスクが同時に記録しかつ再生する態様は図５と関連して上述されている。）
たとえばライブのスポーツイベントなどの、放送されるライブイベントの強く感情に訴える魅力のために、ライブ放送を一時停止した後に実際のライブ放送に追いつけることが望ましくなる。追いつくという１つの可能性は、当然ながら、時間がずれた録画済番組を
再生することから、チューナー１０ａまたは１０ｂのうち一方が番組を受信（かつ第２の再生モードでハードディスク１３が同時に記録）しながら番組を表示することに切換えることであり、それによりテレビ番組の表示を止めた期間を無視する。
【００６０】
別の可能性は、広告による中断または、視聴者が興味のないテレビ番組のいずれかの他の部分を飛ばすことにより追いつくことである。上述したように、ＨＤＲ３は、広告による中断または（フットボールの試合のハーフタイムの中断などの）テレビ番組の予め定められた部分の始めおよび／または終りを示す放送信号を受信し、テレビ番組を表わすデータと共にそのような番組部分の始めおよび／または終りを指す対応するデータをハードディスク１３上に記憶するように構成される。リモートコントロール２８からの適切なコマンドを受信すると、プロセッサ２３は、ハードディスク１３からこのデータを読出し、それに応答して、記録されたテレビ番組の次の点、たとえば広告による中断の終りに飛び越す。ライブの放送が停止された期間内に２つ以上の広告による中断があるならば、この動作は、如何なる広告による中断またはこの態様で飛ばされ得るテレビ番組の如何なる他の不所望の部分の際にも、同じコマンドを与えることによりユーザによって繰返されることができる。
【００６１】
ＨＤＲ３は、動的に追いつくこともできる。この目的のために、再生中、記録されたテレビ番組は「ライブ」の速度に対して増大された速度で再生される。たとえば、放送が１分間停止されたならば、その１分間に記録されたテレビ番組は、その通常の（ライブの）速度の１２５％でハードディスク１３から再生され、停止によって生じる時間のオフセットは４分以内に克服されるであろう。再生速度は、増大したレートでハードディスク１３からデータを検索し、再生中に表示されるべきテレビ画像のフレームを「ドロップ」することにより、増大される。データ検索のレートは、たとえば、より頻繁におよび／またはより長い時間期間の間ハードディスク１３をバッファ５９に切換えることにより（上記の図５の記載参照）、ハードディスク１３からデータバッファ５９により多くのデータを転送することにより（図５を参照）増大される。追いつきレート、すなわち再生速度は、リモートコントロール２８により視聴者によって選択可能である。この動的な追いつきは、広告による中断またはテレビ番組の他の不所望の部分の、上述した飛ばしと組合せ可能であり、そのため視聴者がさらにより早く追いつくことを可能にする。
追いつきが終了すると、第１の再生モードにおいて、ＨＤＲ３は、ハードディスク１３からテレビ信号を出力することから、チューナ１０ａまたは１０ｂの１つによって受信されるテレビ信号を出力することへと切換わる。第２の再生モードにおいて、ＨＤＲ３は、通常の再生速度に切換わるようにハードディスク１３を動作させる。
【００６２】
５．３  放送広告の置換
ＨＤＲ３は、放送事業者から受信される広告の代わりにハードディスク１３から予め記録された広告を再生するようにも動作可能である。ＨＤＲ３が公衆の建物、たとえばパブまたはスポーツイベントの伝送中のスポーツバーにおいて使用されるとき、この特徴は問題となる。この後者の例では、たとえば注意を向けられた顧客が特定の銘柄のビールを即座に購入するようにさせ得るビールの広告を示すことが望ましいかもしれない。
【００６３】
ＨＤＲ３は、広告による中断の始めおよび終りを示す、放送事業者によって伝送される信号を受信するように構成される。ＨＤＲ３による、広告による中断の始めを示す信号の受信で、プロセッサ２３は、ハードディスク１３に、チューナ１０ａまたは１０ｂの１つによって受信されるようなテレビ番組の代わりに、ＴＶ２上に表示される予め記録された広告のシーケンスを再生させる。ＨＤＲ３が広告による中断の終りを示す別の信号を受信すると、プロセッサ２３は、ハードディスク１３に、記録された広告シーケンスの再生を停止させ、そのためチューナ１０ａまたは１０ｂの１つによって受信されるテレビ番組が
再びＴＶ２の上に表示される。
【００６４】
さらに、ＨＤＲ３は、選択されたテレビ番組の記録中に広告による中断を記録しないように広告による中断の始めおよび終りを示す信号を使用するように構成される。この場合には、番組の記録中、プロセッサ２３は、広告による中断の始めを示す信号の受信で記録を停止するようにハードディスク１３を制御する。その後に、広告による中断の終りを示す信号の受信で、プロセッサ２３は、記録を再開するようにハードディスク１３を制御する。
【００６５】
各々が広告による中断の始めおよび終りを示す１つの信号を使用する代わりに、ＨＤＲ３は、広告による中断の始めおよび持続を示す同じ効果信号を処理するように構成されてもよい。この代替の実施例では、プロセッサ２３は、受信したテレビ番組へと戻るか、または広告による中断の示された持続の終りに記録を再開するようにハードディスク１３を動作させる。したがって、広告による中断の終りを示すための別個の信号が必要とされない。
【００６６】
５．４  番組スケジューリング情報
各チャンネルにおけるデータは、たとえば上に論じたようなＤＶＢ／ＭＰＥＧ−２と関連付けられた圧縮された形である。ＤＶＢは、ビデオデータおよび他のデータの両方が単一のチャンネルに組合されることを可能とする。前述の、チャンネルへのアクセスを制御するのに使用される動作データ４３（図３参照）に加えて、チャンネル内のデータは、スケジューリングイベントとして各チャンネルにおける番組のスケジューリングを定義するいわゆるイベント情報テーブル（ＥＩＴ）を表わす短い番組スケジューリングデータを含むことができる。番組スケジュールデータは、ハードディスク１３の動作を制御するためにＨＤＲ３によって使用される。ＨＤＲ３が、選択されたテレビ番組を記録するように予めプログラムされているとき、ＨＤＲ３は、選択されたテレビ番組の始めおよび終りの時間を含むスケジューリングデータに従って記録を開始および停止するようにハードディスクを動作させる。スケジューリングデータが定期的に更新されるので、記録は更新された番組スケジュールに従って開始および停止され、番組スケジュールの変更の場合においても、そのような変更は各チャンネルにおける番組スケジュールデータに反映されるので、選択された番組が実際に記録される。
【００６７】
スケジューリングデータはＲＡＭ２６に記憶され得り、記憶されると、スケジューリング情報はハードディスク１３の動作を制御するために即座に有効に利用可能となる。上に論じたように、スケジューリングデータは定期的に伝送され（たとえば３０秒ごと）、そのためＨＤＲ３は実質的に連続的に更新されるようになる。各チャンネルにおける帯域幅要求およびＨＤＲにおけるメモリ要求の点で過剰なオーバーヘッドなしに各チャンネルがスケジューリングデータを搬送することを可能とするために、情報は短いものである。
【００６８】
さらに、専用のＩＥＰＧチャンネルがより詳細な番組スケジューリング情報を伝送することが想起される。この専用チャンネルにより伝送された情報は、より頻繁に（たとえば３秒ごとに）更新され、より長い時間期間（たとえば１週間）を含む。その結果、完全な１週間の最新のテレビ番組スケジュールが常に利用可能となる。以下により詳細に説明するように、ＨＤＲ３は、ＴＶ２上に番組スケジューリング情報を表示するように構成される。また、視聴者は、ＨＤＲ３と対話して、テレビ番組の記録をプログラムし、専用のＩＥＰＧチャンネルにより受信された情報に基づいて利用可能な番組スケジュールなどの所望の部分を見ることができる。
【００６９】
したがって、各チャンネルにおける番組スケジューリングデータはＨＤＲ３によって使用され、正しい最新の時間で選択されたチャンネルの予めプログラムされたテレビ番組を
記録するようにハードディスク１３を動作させ、専用のＩＥＰＧチャンネルの番組スケジューリングデータは、（以下に記載するようにＨＤＲ３をプログラムするために使用される）予め定められた時間期間にわたってチャンネルのいくつかについて番組スケジュールを表示するために使用される。
【００７０】
６．ＨＤＲの動作
衛星放送用パラボラアンテナ４により受信されたＩＥＰＧチャンネルのデジタル信号によって表わされる番組スケジュール情報は、ＴＶ２上にリモートコントロール２８により視聴者の制御下で表示可能である。メニューキー１０５の選択により、ＨＤＲ３はメインメニュー画面を表示するために出力する。（同様に、ＴＶガイドキー１０６、サービスキー１０７またはインタラクティブサービスキー１０８を選択することにより、ＨＤＲ３は、我々の前述の国際出願ＷＯ９７／２３９９７に記載されるようなサービスについて視聴者の対話を可能とするように表示のための適切な制御メニュー画面を選択する）。
【００７１】
サービスメニュー画面の概略図を図６に示す。画面の上に、メニュー項目６０、６１および６２は利用可能な制御メニューを表わし、そのうち、現在表示される制御メニューに対応する項目６１が強調表示される。他の２つの制御メニューのうち１つは、リモートコントロール２８上のＴＶガイドキー１０６またはインタラクティブサービスキー１０８を押すことにより、または「左」または「右」キー１１１／１１７を押し、その選択によりメニュー項目６０または６２がそれぞれ強調表示されることにより、選択され表示されることが可能である。
【００７２】
同様に、サービス制御メニューのメニュー項目６３、６４、６５および６６は、リモートコントロール２８上の「下」または「上」キー１０９／１１０を用いることにより選択可能であり、現在選択されたメニュー項目６５が強調表示され、その後に「実行」キー１１３を押す。
【００７３】
６．１  テレビ番組スケジュールの表示
図７は、図５の「ＴＶガイド」項目６０の選択後にＴＶ画面上に表示されるＴＶ番組スケジュール画面を簡素化された形で示す。ＴＶ番組スケジュールを表わす信号は、上述したように、専用ＩＥＰＧチャンネルにおいて衛星放送用パラボラアンテナ４によりＨＤＲ３によって受信される。図７の左側の列６７は利用可能なチャンネルを列挙し、右側の列６８は、各チャンネルのためのテレビ番組を年代順に列挙する。利用可能なチャンネルのすべてが画面上に表示可能でなければ、視聴者はリモートコントロール２８上の「上」または「下」キー１０９／１１０を操作することによりＨＤＲ３にそれらを表示させ、それによりＨＤＲ３は画面が上または下にそれぞれスクロールするようにする。また、視聴者が先のまたは後のテレビ番組を表示するために時間を後方または前方に動かしたいのであれば、リモートコントロール２８上の「左」または「右」キー１１１／１１２をそれぞれ操作することによりそうすることができる。
【００７４】
同様に、視聴者は、リモートコントロール上の「上」、「下」、「左」および「右」キー１０９〜１１２を使用することにより、表示されたテレビ番組の１つを選択し得る。現在のところ選択された番組「ドアーズ」が強調表示される。視聴者が「ボエジャー」を代わりに選択したければ、「下」キー１１０を操作しなければならないであろう。「ディープ・スペース・ナイン」を選択したければ、「下」キー１１０の後に「右」キー１１１を操作しなければならないであろう。
【００７５】
６．２  プランナ
番組の選択の後に「録画」キー１００の操作が続けば、選択された番組を表わすデータがＲＡＭ２６に記憶される。番組の選択と、選択された番組を表わすデータの、結果とし
て行なわれる記憶とにより、ＨＤＲ３は、放送が予定されるときハードディスク１３上に選択された番組を記録する。上に論じたように、ハードディスク１３は、選択されたチャンネルの番組スケジュールデータに従って選択された番組を記録するように動作する。
【００７６】
番組選択に応答してＲＡＭ２６に記憶されたデータは、選択された番組の題名に関する情報、その始めおよび終りの時間、ならびに、選択された番組がなおも記録されるかべきどうか、それが記録されてしまったか部分的に記録されなおも見られるべきかどうか、または記録された番組が部分的に見られたかどうかに関するステータス情報に関する情報を表わす。すべてのこの情報は、リモートコントロール２８によりＨＤＲ３に適切なコマンドを送信することによりＴＶ画面上に表示可能であり、それによりＨＤＲ３は、ＲＡＭ２６から対応するデータを検索し、それが表わす情報を表示する。表示された情報は、ユーザが適切な選択を行なうことにより個人的なテレビスケジュールを計画することを可能にするので、以降「プランナ」と呼ばれる。
【００７７】
プランナ情報は、ある時間にわたって連続した番組のリストを表わすデータの形でハードディスク１３上に記憶される。プロセッサ２３は、このリストに記録されるべき第１のテレビ番組と関連付けられて記憶されるときテレビ番組を記録するようにハードディスク１３を動作させる。これに応答して、この番組と関連付けられるステータス情報は、番組が記録されたことを示すように更新される。プロセッサは、記録されるべきリスト中の次の番組と関連付けられたときなどに再びハードディスク１３を動作させる。
【００７８】
プランナ画面は図６に概略的に示される。プランナ画面が、たとえば図５のメニュー項目６５の選択によりＴＶ２上に表示されるように選択されると、プロセッサ２８は、ＲＡＭ２６からプランナ情報を表わすデータを取出し、ＨＤＲ３に図８に示すプランナ画面を表示させる。
【００７９】
図７に戻り、映画「ドアーズ」が強調表示されユーザ選択を示す。リモートコントロール２８上の「実行」キー１１３の操作で、「ドアーズ」と関連付けられる情報、すなわち「ドアーズ」が放送されることが予定される日付、それが放送されるチャンネル「４チャンネル」、放送の開始および終了時間、ならびに番組の名前（「ドアーズ」）がＲＡＭ２６に記憶される。リモートコントロール２８上の適切なキーの操作により、ＨＤＲ３は図８のプランナ画面を表示する。プランナのテレビ番組の名前（参照番号７１）がチャンネルの名前（参照番号７２）とともに表示される。さらに、番組がハードディスク１３に記憶され見られてしまったかどうか（「トレインスポッティング」）、番組が部分的に見られてしまったかどうか（「ゲットカータ」）、記憶された番組がなお見られるべきか（「フレンズ」）、または番組がハードディスク１３になお記憶されるべきかどうか（「ドアーズ」および「シルバーストーングランプリ」）を示す、ステータス情報（参照番号７３）が表示される。そのようなステータス情報を表わす信号は、プロセッサ２８によって自動的に生成され、それを表わすデータはプログラムの選択によりメモリＲＡＭ２６に記憶される。ステータス変更が一旦行なわれると、たとえば記録され先に見られていない番組が見られてしまったとき、ＲＡＭ２６のデータはプロセッサ２８によって更新される。
【００８０】
図８のプランナ画面は、ＨＤＲ３の機能のいくつかを制御するために使用可能である。たとえば、記録された番組は、「上」および「下」キー１０９，１１０を用いて所望の番組を選択し、次にリモートコントロール２８上の「再生」キー９９を操作することにより、ハードディスク１３から再生可能である。部分的に見られた番組（「ゲートカータ」など）の場合、視聴者は、同じコマンド（選択の後に「再生」キー９９の操作が続く）を与えることによりそのような番組の視聴を再開し得る。次に、プロセッサ２３は、視聴が中断された点に飛び越えるようにハードディスク１３を動作させ、（より詳細に上述したようにＨＤＲ３の動作により）再生を再開する。
【００８１】
また、ハードディスク１３上に記録されたプランナ画面に列挙される番組のいずれか（「フレンズ」など）が、これを選択しリモートコントロール２８上の「削除」キーを操作することによりハードディスク１３から削除可能である。この実施例におけるそのような「削除」キーは、色が図８のボックス７４に表示される色キーである。また、記録されるためにプランナに列挙される番組（「ドアーズ」または「シルバーストーングランプリ」など）は、番組を選択し、ボックス７５によって示される色に対応するリモートコントロール２８上の別の色キーを操作することにより、削除可能である。
【００８２】
図８に示すプランナ画面は、さらに、列挙された番組の１つを選択しその後にボックス７６に示す色に対応する、リモートコントロール上の色キーを操作することにより、「リンク」コマンドの実行を可能にする。リンクコマンドは、記録のためにプランナ番組リストに含まれるように選択された１つと関連する番組を可能にする。
【００８３】
番組は、同じＴＶサービス会社により異なった時間および／または異なったチャンネルで伝送されるべき他の番組に何らかの態様で関連付けられてもよい。明らかに、毎日または毎週の連続物の番組は互いに関連付けられる。他の関係はそれほど明らかではない。たとえば、ＴＶサービス会社は、複数の異なったチャンネルで映画ジェームズ・ボンドもの１シーズンを放映し、各映画が１回以上示されるようにしたいかもしれない。デジタル領域での放送は、その映画からシーズン中の他の映画へリンクするさらなるデータとともに各映画の表示のためにデータに含めることを可能にする。プロセッサ２３は、視聴者がリンクコマンドを実行することによりある映画を選択するときプロンプトを表示することにより、そのようなリンクするデータに応答するように構成される。プロンプトは、シーズン中の他の映画へと視聴者の注意を促し、他の映画のいずれかが記録のためにプランナに含まれることを望むかどうかを視聴者に尋ねる。
【００８４】
代替的に、ＨＤＲ３は、ユーザが選択を確認することを促すことなしにそのような選択を自動的に行なうように構成され得る。この場合には、自動的に選択された番組は単にプランナに含まれてもよい。代替的に、それらは、図８のプランナ画面と同様の別個の画面に列挙されてもよい。
【００８５】
７．システム設定
図９は、図６のシステム設定項目６４が選択されたとき表示されるシステム設定画面を示す。この実施例では、３つの設定パラメータが列挙される。第１のパラメータ８０は、強調表示されているものと示され、放送事業者から受信された広告が上述したような予め記録された広告と置換されるかどうかについての選択を可能にする。選択は、「上」および「下」キー１０９，１１０を使用することによりパラメータ８０を強調表示させることにより、パラメータ８０と関連付けられるメニュー項目８１が設定「はい」と「いいえ」との間で切換わるようにするリモートコントロール２８上の「左」および「右」キー１１１，１１２を操作することにより、行なわれる。同様に、パラメータ８２は、上述したように広告が番組の記録中に記録されないかどうかについての選択を可能にする。パラメータ８３は、上述したように、ユーザが、ユーザによって予め選択された番組にリンクされる番組の記録のために自動的選択を活性化するかまたは不活性化することを可能にする。このように選択されたパラメータは、パラメータ８４を選択し、リモートコントロール２８上の「実行」キー１１３を操作することにより、ＲＡＭ２６に保存される。設定は、ボックス８５に表示される色に対応する、リモートコントロール２８上の色キーを操作することによりリセットされてもよい。
【００８６】
８．広告選択
図６の「広告」アイコン６６が選択されると、広告選択画面が添付の図面の図１０に示
されるように表示される。広告選択画面は、「広告置換」設定（図９のパラメータ８０）が活性化されるならば（上記参照）、ハードディスク１３から再生される広告のカテゴリの選択を可能にする。所望の広告カテゴリの選択は、リモートコントロール２８上の「上」、「下」、「右」および「左」キー１０９〜１１２を操作し、所望のカテゴリを強調表示することにより行なわれる。図１０の広告選択画面では、カテゴリ「自動車旅行」が強調表示される（ボックス９０によって示される）。次に、強調表示されたカテゴリは、たとえば、リモートコントロール２８上の「実行」キー１１３を操作することにより活性化可能である。活性化されたカテゴリは合印９１によって印付けされる。２つ以上のカテゴリが同時に活性化されることが可能である。図１０の例では、カテゴリ「食べ物＆飲み物」および「自動車旅行」が活性化される。
【００８７】
なお、本発明は上述したような実施例に限られるものでない。上述した実施例に対するさまざまな変形および修正が、クレームから決定される本発明の範囲外となることなしになされ得ることが想起される。
【符号の説明】
【００８８】
１  テレビシステム、２  テレビ（ＴＶ）、３  ハードディスクレコーダ（ＨＤＲ）、４  パラボラアンテナ。
【図１】
2009171597.tif 000003
【図２】
2009171597.tif 000004
【図３】
2009171597.tif 000005
【図４】
2009171597.tif 000006
【図５】
2009171597.tif 000007
【図６】
2009171597.tif 000008
【図７】
2009171597.tif 000009
【図８】
2009171597.tif 000010
【図９】
2009171597.tif 000011
【図１０】
2009171597.tif 000012